(57)【要約】【課題】火災時に閉鎖状態とされた左右遮煙引戸を同期することなく片方の引戸だけを開くことができ、このとき、引戸を開き状態に維持するレリーズ装置と保持部材とが再度係止しない両引き遮煙引戸装置の開閉駆動機構を提供する。【解決手段】レリーズ装置４４と係脱可能な保持部材４１に索部材２７を連結する。索部材２７の上側移行部分３８に一方の引戸４と対応する係止部材４０を、下側移行部分３９に他方の引戸５と対応する係止部材４０を夫々設ける。両引戸４，５は対応する係止部材４０と相対移動可能であると共に閉鎖方向の付勢力で当接するようになっている。閉鎖状態から片方の引戸４を開くと索部材２７を周回することなく係止部材４０に対して相対移動するので、他方の引戸５と保持部材４１が閉鎖状態から動くことがない。【選択図】  図１４
2004232195.tif 000002
【特許請求の範囲】
【請求項１】
左右の引戸が互いに当接する閉じ方向に付勢されており、通常はレリーズ装置で開き状態に保持され、レリーズ装置の解除により開き位置から自閉するようにしてある遮煙引戸装置において、引戸開閉方向に沿ってレリーズ装置と係脱可能な引戸開き状態保持部材を移動するように設け、この保持部材に、左右引戸に対応して設けた左右のプーリに巻回した索部材を連結し、この索部材には一方の引戸に対してはその上側移行部分に、他方の引戸に対しては下側移行部分に夫々対応する引戸との係止部材を設けて、保持部材をレリーズ装置に係止した状態で左右の引戸が上記閉鎖方向への付勢力で前記係止部材と当接して各引戸を開き状態に保持するようにし、その係止部材に対して対応する引戸は開き方向に相対移動可能となっていることを特徴とする両引き遮煙引戸装置の開閉駆動機構。
【請求項２】
左右の引戸は、一定荷重を発生する巻き取り式ばね部材により閉じ方向に付勢されていることを特徴とする請求項１記載の両引き遮煙引戸装置の開閉駆動機構。
【請求項３】
引戸開き状態保持部材は、引戸開閉方向に沿って設けた案内レールに沿って移動するように設けてあることを特徴とする請求項１または２記載の両引き遮煙引戸装置の開閉駆動機構。
【発明の詳細な説明】
【０００１】
【発明の属する技術分野】
この発明は、開き状態とされた引戸を閉じ方向に付勢して自動閉鎖する遮煙引戸装置の開閉駆動機構に関する。
【０００２】
【従来の技術】
自閉引戸装置は、開き状態から引戸を閉鎖するための付勢手段を備え、引戸を開放状態から自動閉鎖するようになっている。特許文献１の図３には、両引き引戸装置が開示してある。左右の引戸の一方は連結ブラケットにより伝導体（索部材）の上側に連結され、他方は連結ブラケットにより伝導体の下側に連結されている。伝導体は引戸クローザの駆動プーリーと従動プーリー間に巻き掛けられている。引戸クローザはぜんまいばねを備えており、左右の引戸が同期して開かれると、ぜんまいばねが巻かれてその蓄積された復帰トルクにより左右の引戸が同期して自閉する。
【０００３】
特許文献２の図１０には、左右の引戸ごとに、引戸クローザ（自閉装置）と従動プーリを夫々設け、夫々の引戸クローザと従動プーリとに懸回した各伝導体に夫々引戸を連結し、引戸の開放動作により引戸クローザの弾機に蓄積された閉戸力により左右の引戸を別々に自動閉鎖する両引き引戸装置が開示してある。
【０００４】
特許文献３には、本願出願人により先に出願された遮煙引戸装置が開示されている。これは、左右の引戸を左右一対のスプロケットに巻回された周回チェンに連結し、スプロケットの一方に連結した引戸自閉装置のぜんまいにエネルギを蓄積した状態でレリーズ装置の係脱レバーに引戸の係止片を係合して左右の引戸を開放状態とし、火災時に係脱レバーと係止片との係止を外してレリーズ装置による引戸の保持を解除することで、ぜんまいに蓄積されたエネルギによってスプロケットを回転し、周回チェンを介して左右の引戸を同期して開き状態から自閉するものである。
【０００５】
特許文献４、５には、片引きの自閉引戸装置が開示されている。特許文献４の遮煙引戸装置では、引戸自閉装置（閉戸装置）より出没するワイヤーに連結された引戸がワイヤー先端に設けられた端末具がレリーズ装置に係止されることで全開状態で保持され、保持が解除されると自閉装置の弾機復元力によりワイヤーが牽引されて引戸が自閉する。特許文献５の引戸装置では、自閉装置に一端が巻回されたワイヤーの他端が引戸に連結され、引戸を開くことでワイヤーが繰り出されて自閉装置の弾機に復元力が蓄えられ、引戸閉鎖時にはその復元力によりワイヤーが巻き取られ引戸が自閉する。
【０００６】
【特許文献１】
特許２９３３２６２号公報  （図３）
【特許文献２】
特公平８−３３０２号公報  （第１０図）
【特許文献３】
特願２００２−２２２２３３号公報
【特許文献４】
特公平６−８４７０８号公報
【特許文献５】
実公昭６１−４４０号公報
【０００７】
【発明が解決しようとする課題】
特許文献１、３では、左右の引戸が１つの索部材に固定された状態で連結されており、一方の引戸が開閉すると他方の引戸も開閉する。このような構造を適用した遮煙引戸装置では、火災時に左右の引戸が閉鎖した状態で避難する場合に一方の引戸を開けようとすると他方の引戸も開くこととなるので、引戸を開くときに大きな力が必要である問題があった。このため非力な老人や女性や子供にとって引戸を開くのが容易ではなく、迅速な避難を妨げる恐れがあった。更に、特許文献３では、通常時引戸を開き状態に保つため係脱レバーで係止片を係止しており、火災時に係脱レバーと係止片との係合が外れ引戸が閉鎖した状態で、避難するため避難者が引戸を開いた際に、再び係脱レバーに係止片が係止し引戸が開き状態になる恐れがあった。このように避難時に引戸を閉じた状態から開いたときに、引戸と一緒に係止片が動くものでは、引戸が全開された場合にレリーズ装置に引戸が再び保持されてしまい、遮煙機能が損なわれる恐れがあった。
【０００８】
特許文献２では、左右の引戸ごとに自閉装置を別々に備えているので、この構造のものを遮煙引戸装置に適用すると常時開き状態に保持するためのレリーズ装置が左右の引戸ごとに必要となる。
【０００９】
特許文献４、５は、片引き引戸を例示しており、本願の提示する課題を開示するものではない。しかし、特許文献４のワイヤー先端の端末具をレリーズ装置に係止することで引戸を開き状態とする構造を適用した遮煙引戸装置では、開き状態から引戸が閉鎖し、避難する際に引戸を開いたとしてもレリーズ装置に端末具が再び係止する恐れはないが、引戸をレリーズ装置とにより開放状態とする端末具がワイヤー端に備えられているので、引戸の開閉に伴ってワイヤーや端末具があばれたり、ワイヤーが絡む恐れがあり、引戸の確実な動作の妨げになる恐れがあった。また、ワイヤーを介して端末具が引戸に備えられているので、レリーズ装置による拘束が解除されると端末具が落ちるため、端末具の落下を防止するための構造を必要とする。
本願は、レリーズ装置により開き状態に維持された左右の引戸が、火災時にレリーズ装置が解除され閉鎖状態となった場合に、片方の引戸を開く際に他方の引戸が開くことなく小さな力で開くことができ、この引戸を開いた時、引戸がレリーズ装置に保持されることなく再度自閉し、また、１つのレリーズ装置で左右の引戸を開き状態に維持できる両引き遮煙引戸装置の開閉駆動機構を提供しようとするものである。
【００１０】
【課題を解決するための手段】
上記課題解決のため、本願発明では、左右の引戸が互いに当接する閉じ方向に付勢されており、通常はレリーズ装置で開き状態に保持され、レリーズ装置の解除により開き位置から自閉するようにしてある遮煙引戸装置において、引戸開閉方向に沿ってレリーズ装置と係脱可能な引戸開き状態保持部材を移動するように設け、この保持部材に、左右引戸に対応して設けた左右のプーリに巻回した索部材を連結し、この索部材には一方の引戸に対してはその上側移行部分に、他方の引戸に対しては下側移行部分に夫々対応する引戸との係止部材を設けて、保持部材をレリーズ装置に係止した状態で左右の引戸が上記閉鎖方向への付勢力で前記係止部材と当接して各引戸を開き状態に保持するようにし、その係止部材に対して対応する引戸は開き方向に相対移動可能となっていることを特徴とする。
これによれば、保持部材に連結した索部材に設けられ、左右の引戸に夫々対応する係止部材によって、保持部材がレリーズ装置に係止した通常状態では、引戸と係止部材とが当接して開き状態が維持され、保持部材がレリーズ装置に解除されると閉鎖方向への付勢力で索部材を周回させつつ左右の引戸が閉鎖するので通路や建物開口を塞いで遮煙でき、この引戸の開閉状態は１つの保持部材とレリーズ装置で行われ、引戸ごとにレリーズ装置を必要としない。そして、左右の引戸が閉鎖している状態で片方の引戸を開くと、引戸は係止部材に対して開き方向に相対移動可能なので索部材に対して摺動し、索部材を周回させることがない。このため、他方の引戸を開くことがないので、一方の引戸を引くだけの小さな開き力で避難経路を確保でき、非力な老人や女性や子供にとっても扱いやすい。そして、閉鎖後に避難のために引戸を開けても、引戸の開き移動に伴って保持部材が移動しないので保持部材がレリーズ装置に係止しせず、再度付勢力によって引戸が自動閉鎖され遮煙機能が損なわれない。
【００１１】
左右の引戸は、一定荷重を発生する巻き取り式ばね部材により閉じ方向に付勢されていることを特徴とする。これによれば、左右の引戸の閉鎖開始から当接まで引戸に一定の力が作用しているので、左右引戸が閉鎖突合さるときでも定荷重で当接し、左右引戸の戸先部分での当接が確実になる。
【００１２】
引戸開き状態保持部材は、引戸開閉方向に沿って設けた案内レールに沿って移動するように設けてあることを特徴とする。これによれば、保持部材があばれることなく移動するので、確実な動作が得られる。
【００１３】
【発明の実施の形態】
本願発明の実施の形態について図１〜図１４に基づいて説明する。図１は、両引き遮煙引戸装置１を示しており、通路開口２を構成する側方の構造体（壁）の左右に設けられた戸袋３内に、通常の状態では、左右の遮煙引戸４，５が夫々収容されている。６は、通路開口２を構成する構造体に枠組みされた引戸枠であり、引戸枠６は、上枠７と左右縦枠８，８とから構成されている。上枠７は、図２に示すように上側枠９と下側枠１０とを備え、上側枠９と下側枠１０とにより、左右縦枠８，８から閉鎖中心（上枠の中心）Ｌに向けて上り勾配となる上方に向いた上気密材保持溝１１が閉鎖中心Ｌに対して対象に形成されており、それら左右の上気密材保持溝１１に上気密材１２がその上面が上気密材保持溝１１の傾斜と同じ角度で傾斜するように嵌め込まれている。左右の縦枠８，８は、内側枠１３と外側枠１４とから構成されており、外側枠１４には、図３に示すように、上下方向に亘り引戸開き方向に向く鉤状に曲がった縦塞ぎ部材１５が形成されている。この縦塞ぎ部材１５の上方まで上気密材１２が伸びている。
【００１４】
遮煙引戸４，５は、その先端（引戸閉鎖側端）の戸先部分に戸先気密材２９が取り付けてあり、引戸先端部分が閉鎖突合されたときに左右の遮煙引戸４，５の戸先気密材２９，２９が密着するようになっている。遮煙引戸４，５の下端部分には床面Ｆとの間を塞ぐ下気密材３０が設けられ、また、縦枠８前方で床面Ｆに設けられた下案内ローラ３１に案内される案内溝部３２が設けられている。遮煙引戸４，５の戸尻部分には、図３に示すように鉤状に曲げられて縦気密材保持溝３３，３３が上下方向に亘って形成され、その縦気密材保持溝３３，３３に縦気密材３３ａ，３３ａが装着されている。この縦気密材３３ａは、引戸閉鎖時に縦塞ぎ部材１５と密着すると共に、縦気密材３３ａの上端が縦気密材保持溝３３より少しばかり上まで伸びていて上気密材１２と密着するようになっている。尚、５３は戸袋枠である。遮煙引戸４，５の上部分には、図２、図４に示すように、引戸全長に亘って上枠７の上気密材１２上方に覆い被さるようにひさし状に突出する上塞ぎ部材３４，３４が一体固着してある。上塞ぎ部材３４は前記上気密材１２の傾斜と同じ傾斜で戸尻から戸先に向けて上り勾配で傾斜しており、引戸閉鎖時に上気密材１２に密着する。
【００１５】
引戸枠６の上方には駆動部収容ケース１７が構成されており、その駆動部収容ケース１７内には遮煙引戸の開閉駆動機構５４が配置されている。開閉駆動機構５４は、後述の引戸案内レール１９と吊下げ装置２０と周回ワイヤー２７と係止部材４０と保持部材４１とレリーズ装置４４と巻き取り式ばね部材４９とで構成されており、次にこの開閉駆動機構５４について説明する。駆動部収容ケース１７内には、横枠１８が配置されている。横枠１８の前面には、図５、６に示すように、引戸案内レール１９が引戸開閉方向に沿って固着されている。引戸案内レール１９には、各遮煙引戸につき２箇所に設けた吊下げ装置２０を介して左右一対の遮煙引戸４，５が移動可能に吊下げ案内されている。吊下げ装置２０は、下端に遮煙引戸上端を連結した支持部材２１を備え、支持部材２１は、図４に示すように、引戸案内レール１９上を転動するローラ２２と、回転自在に設けられた浮き上がり防止ローラ２３とを備えている。また、各遮煙引戸４，５の戸先側の吊下げ装置２０には、図７に示すように、夫々当接部材２４，２５が固着されており、各当接部材２４，２５の横枠１８に向けて（引戸見付け方向に）突出する当接片２６には、図８では右遮煙引戸５部分を示しているが、周回ワイヤー２７が挿通する通孔２８が穿設されている。
【００１６】
前記横枠１８の左右には、図５のように、ブラケット３５，３６を介してプーリ３７，３７が回動可能に設けられている。左右のプーリ３７，３７には索部材としての周回ワイヤー２７が巻回されている。周回ワイヤー２７の上側ワイヤー部（上側移行部分）３８は、一方（左側）の遮煙引戸４の当接片２６の通孔２８を挿通し、下側ワイヤー部（下側移行部分）３９は、他方（右側）の遮煙引戸５の当接片２６の通孔２８を挿通しており、上側ワイヤー部３８には当接部材２４に対して右方に、下側ワイヤー部３９には当接部材２５に対して左方に、図７に示すように係止部材（ロープクランプ）４０が一体に取り付けられている。この左右の係止部材４０は、対応する左右の遮煙引戸４，５の当接片２６，２６と当接し、遮煙引戸４，５の閉じ方向への移動を規制すると共に、係止部材４０，４０に対する遮煙引戸４，５の開き方向への相対移動を可能としている。
【００１７】
また、上側ワイヤー部３８における周回ワイヤー２７の両端末は、図９に示すように、引戸開き状態保持部材４１の下部分に連結されている。この保持部材４１は保持フック４２を備えており、保持フック４２は横枠１８の中央にブラケット４３を介して取り付けられたレリーズ装置４４のラッチ５５と係脱するようになっており（図１０）、保持フック４２がラッチ５５に係止された状態では、図５、図１２に示すように、左右の遮煙引戸４，５を前記係止部材４０と当接片２６との当接によって全開状態で保持し、図示しない火災（煙）検知装置などの信号でレリーズ装置４４のソレノイド５６が動作すると保持フック４２はラッチ５５による係止が外されるようになっている。このレリーズ装置４４と保持部材４１とが横枠１８の中央（閉鎖中心Ｌ）で係脱するようにしたことで、戸袋内にレリーズ装置を設けたものに比べ駆動部収容ケース１７の蓋１７ａを開けることで簡単に施工や点検が行えるようになっている。また、保持部材４１の上部には案内子４５が設けられており、案内子４５は保持部材案内レール４６に沿って摺動可能に案内されている。保持部材案内レール４６は、ブラケット３６，４３の上部に設けた保持部材案内レール取付片４７，４７間に周回ワイヤー２７と平行にパイプを架設したものである。
【００１８】
ブラケット４３の下部に設けた閉鎖手段取付片４８には、左右の引戸閉鎖手段４９，４９として、周知の巻き取り式ばね部材が設けられている。巻き取り式ばね部材４９は定荷重ばねであり、帯状の板ばね５０の一端を回動可能に軸支される巻付き部材５１に連結して巻付け、板ばね５０に巻付き部材５１へ巻付くように巻付き力が常時作用するように構成したものである。左右の巻き取り式ばね部材４９，４９の巻付き部材５１は、図１１に示すように閉鎖手段取付片４８に回動可能に取り付けられており、板ばね５０の他端を夫々左右の遮煙引戸４，５の支持部材２１に連結部材５２を介して連結し、巻付け力を閉じ力として遮煙引戸４，５を常に閉じ方向に付勢している。
【００１９】
このように構成された遮煙引戸装置１では、図１２に示すように、通常時には通路開口２を開放状態とするため、開閉駆動機構５４によって、左右の遮煙引戸４，５が左右の戸袋３，３内に格納状態に保持される。このとき、左右の巻き取り式ばね部材４９，４９は巻付き部材５１から開き方向に繰り出されており、遮煙引戸４，５を閉じ方向に付勢している。また、保持部材４１がレリーズ装置４４に係止されることで、左側の係止部材４０が周回ワイヤー２７の左端に、右側の係止部材４０が周回ワイヤー２７の右端位置に夫々位置する。この左右の係止部材４０に、夫々対応する左右の遮煙引戸４，５の当接片２６が巻き取り式ばね部材４９の付勢力により当接して閉じ方向への移動が規制され、１つの保持部材４１とレリーズ装置４４との係止で左右遮煙引戸４，５が開き状態に保持されることになる。
【００２０】
火災時には、図１３に示すように、ソレノイド５６が励磁されてレリーズ装置４４による保持フック４２の係止が外され、それにより巻き取り式ばね部材４９の閉じ力により、略等速で左右の遮煙引戸４，５が対応する係止部材４０を押しながら閉じ方向に同期して移動し、引戸枠６の上気密材１２に遮煙引戸４，５の縦気密材３３ａの上端と上塞ぎ部材３４が、引戸枠６の縦塞ぎ部材１５と遮煙引戸４，５の縦気密材３３ａが、左右の遮煙引戸４，５の戸先気密材２９，２９、遮煙引戸４，５の下気密材３０と床面Ｆが密着し、通路開口２を密閉する。このとき、左右の係止部材４０，４０が閉じ方向に移動することで周回ワイヤー２７が時計方向に回転され、保持部材４１が保持部材案内レール４６に沿って案内されることで大きく振られることなく図１３において右側に移動し、周回ワイヤー２７右端に位置する。
【００２１】
この遮煙引戸４，５の閉鎖状態で避難経路を確保するために例えば一方（左側）の遮煙引戸４が開かれると、当接片２６に対して周回ワイヤー２７が挿通していると共に係止部材４０が当接しているので、図１４に示すように、左の遮煙引戸４は周回ワイヤー２７を回転することなく係止部材４０をその場所に位置させたまま、係止部材４０に対して相対的に開き方向に移動する。そのため、開閉駆動機構５４により、他方の遮煙引戸５が一緒に開かれることがないので、小さな開き力で一方の引戸４を開くことができ、非力な老人等であっても避難経路の確保が容易に行え、迅速な避難が行える。また、この閉鎖状態から避難経路確保の際に遮煙引戸４を全開しても、周回ワイヤー２７が周回しないので、周回ワイヤー２７に連結された保持部材４１が移動することなく周回ワイヤー２７の右端に位置し、レリーズ装置４４に再度保持部材４１が係止されない。そのため、遮煙引戸４を開いても再び巻き取り式ばね部材４９の閉じ力により遮煙引戸４が自動閉鎖されるので、遮煙機能が維持される。
【００２２】
尚、特許文献３のように、右の遮煙引戸５の引戸案内レール６２が左の遮煙引戸４の引戸案内レール６１に対して閉鎖中心Ｌに向かうにつれて僅かに見込み方向に傾斜するもの（図１５）にも本願は適用される。この場合、引戸の開き状態保持部材は、閉鎖中心Ｌに対して直交する引戸開閉方向に移動するようにしてもよいし、傾斜する右引戸案内レール６２に沿って引戸開閉方向に移動するようにしてもよい。
【００２３】
【発明の効果】
以上のように本願発明では、レリーズ装置と係脱可能な引戸開き状態保持部材を移動可能に設け、この保持部材に、左右のプーリに巻回した索部材を連結し、索部材の上下側移行部分に左右引戸に夫々対応する係止部材を設け、保持部材がレリーズ装置と係止した状態で、係止部材に閉鎖方向への付勢力で引戸を当接して開き状態に保持するようにし、その係止部材に対して対応する引戸は開き方向に相対移動可能としたので、１つの保持部材とレリーズ装置で引戸を開き状態に保持できる。また、引戸の閉鎖状態で、片方の引戸を開くと、係止部材に対して引戸が相対移動可能なので、索部材を周回させて他方の引戸を開くことがない。このため、片方の引戸を開くだけの小さな開き力で引戸を開くことができるので扱いやすく、非力な老人等であっても避難経路を容易に確保できる。また、索部材が周回しないので保持部材が移動してレリーズ装置に再び係止することがなく、開いた引戸が再度自閉され遮煙機能が損なわれない。
【図面の簡単な説明】
【図１】遮煙引戸装置の全体正面図である。
【図２】上気密材の取付けを示す上枠の断面図である。
【図３】縦気密材と縦塞ぎ部材との当接を示す縦断面図である。
【図４】右遮煙引戸の側面図である。
【図５】遮煙引戸装置の開放状態での正面図である。
【図６】図５において遮煙引戸を除いたＶＩ−ＶＩ線断面図である。
【図７】吊下げ装置の当接部材と係止部材との当接を示す図である。
【図８】図７のＶＩＩＩ視図である。
【図９】レリーズ装置と保持部材との係止を示す正面図である。
【図１０】レリーズ装置と保持部材との係止を示す一部断面とした平面図である。
【図１１】レリーズ装置と保持部材案内レールと巻き取り式ばね部材の横枠への取付けを示す図である。
【図１２】遮煙引戸装置の開放状態を説明する図である。
【図１３】遮煙引戸装置の閉鎖状態を説明する図である。
【図１４】遮煙引戸装置の一方の遮煙引戸を開いた状態を説明する図である。
【図１５】左右の引戸案内レールの傾斜を説明する平面図である。
【符号の説明】
１  両引き遮煙引戸装置
４，５  遮煙引戸
２７  索部材
３７  プーリ
３８  上側移行部分
３９  下側移行部分
４０  係止部材
４１  引戸開き状態保持部材
４４  レリーズ装置
４６  保持部材案内レール（案内レール）
４９  巻き取り式ばね部材
５４  開閉駆動機構
【図１】
2004232195.tif 000003
【図２】
2004232195.tif 000004
【図３】
2004232195.tif 000005
【図４】
2004232195.tif 000006
【図５】
2004232195.tif 000007
【図６】
2004232195.tif 000008
【図７】
2004232195.tif 000009
【図８】
2004232195.tif 000010
【図９】
2004232195.tif 000011
【図１０】
2004232195.tif 000012
【図１１】
2004232195.tif 000013
【図１２】
2004232195.tif 000014
【図１３】
2004232195.tif 000015
【図１４】
2004232195.tif 000016
【図１５】
2004232195.tif 000017